(57)【特許請求の範囲】
【請求項１】
液晶表示素子と、
前記液晶表示素子の表示面側に配置されるとともに、表示窓を有し、かつ、周囲に側壁を有するフレーム部材と、
前記液晶表示素子の表示面と反対側の面に配置され、周囲に側壁を有し、少なくとも前記液晶表示素子に照射光を照射する光源を収納する収納部材と、
前記フレーム部材の前記側壁と前記収納部材の前記側壁との間に設けられ、液晶表示装置を外部ケースに固定する取付用ネジがネジ止めされるネジ孔を有する取り付け部材とを有する液晶表示装置であって、
前記取り付け部材は、前記収納部材に固定されるとともに、前記取り付け部材の前記ネジ孔が設けられる領域は、前記取付用ネジの移動方向に弾力的に作用する構成と成っており、
前記収納部材の前記側壁は、前記取付用ネジの先端部が挿入される挿入孔を有し、
前記挿入孔の直径は、前記取付用ネジの直径よりも大きいことを特徴とする液晶表示装置。
【請求項２】
液晶表示素子と、
前記液晶表示素子の表示面側に配置されるとともに、表示窓を有し、かつ、周囲に側壁を有するフレーム部材と、
前記液晶表示素子の表示面と反対側の面に配置され、周囲に側壁を有し、少なくとも前記液晶表示素子に照射光を照射する光源を収納する収納部材と、
前記フレーム部材の前記側壁と前記収納部材の前記側壁との間に設けられ、液晶表示装置を外部ケースに固定する取付用ネジがネジ止めされるネジ孔を有する取り付け部材とを有する液晶表示装置であって、
前記取り付け部材は、前記収納部材に固定されるとともに、前記取り付け部材の前記ネジ孔が設けられる領域は、前記取付用ネジの移動方向に弾力的に作用する構成と成っており、
前記収納部材の前記側壁は、前記取付用ネジの先端部が挿入される溝部を有し、
前記溝部は、前記取付用ネジとある間隔を持って形成されていることを特徴とする液晶表示装置。
【請求項３】
前記取り付け部材は、接着あるいは機械的手段により、前記収納部材に固定されていることを特徴とする請求項１または請求項２に記載の液晶表示装置。
【請求項４】
前記取り付け部材は、インモールド成形により、前記収納部材に固定されていることを特徴とする請求項１または請求項２に記載の液晶表示装置。
【請求項５】
前記取り付け部材、および、前記収納部材は、前記取り付け部材の位置決め手段を有することを特徴とする請求項１または請求項２に記載の液晶表示装置。
【請求項６】
前記収納部材の前記取り付け部材の位置決め手段は、突起部であり、
前記取り付け部材の位置決め手段は、前記収納部材の前記突起部がはめ込まれる孔であることを特徴とする請求項５に記載の液晶表示装置。
【請求項７】
前記取り付け部材は、弾力性のある材料で構成されていることを特徴とする請求項１または請求項２に記載の液晶表示装置。
【発明の詳細な説明】
【０００１】
【発明の属する技術分野】
本発明は、パーソナルコンピュータ、ワークステーション等に用いられる液晶表示装置に係わり、特に、液晶表示装置の狭額縁化、薄型化に適用して有効な技術に関する。
【０００２】
【従来の技術】
ＳＴＮ（Super Twisted Nematic）方式、あるいはＴＦＴ（Thin Film Transister）の液晶表示モジュールは、ノート型パーソナルコンピュータ等の表示装置として広く使用されている。
これらの液晶表示モジュールは、周囲に駆動回路部が配置された液晶表示パネルと、当該液晶表示パネルを照射するバックライトユニットとで構成される。
このバックライトユニットは、モールド内に、例えば、光源から照射される光を、光源から離れた方へ導き、液晶表示パネル全体に光を均一に照射するための導光体と、導光体の側面近傍に、導光体の側面に沿って当該側面と平行に配置される線状光源である冷陰極蛍光灯と、導光体上に配置される拡散シートと、拡散シートの上に配置されるレンズシ−ト（プリズムシートとも称される）と、導光体の下側に延長配置される反射シートとが収納されて構成される。
なお、このような技術は、例えば、特公昭６０−１９４７４号公報、実開平４−２２７８０号公報に記載されている。
【０００３】
【発明が解決しようとする課題】
図１３は、前記液晶表示モジュールをノート型パーソナルコンピュータに取り付ける取り付け方法の一例を説明するための模式図である。
同図において、１００はノート型パーソナルコンピュータのディスプレイ部の外側ケース、１０１はノート型パーソナルコンピュータのディスプレイ部の内側ケースであり、同図に示すように、液晶表示モジュール１０２は、サイドビーム１１０を介して取り付けネジ１２０により、ノート型パーソナルコンピュータのディスプレイ部の外側ケース１００に固定される。
そのため、液晶表示モジュール１０２のモールドには、取り付けネジ１２０がネジ止めされるインサータが埋め込まれている。
なお、サイドビーム１１０および取り付けネジ１２０は、液晶表示モジュール１０２の両側に設けられるが、図１３では省略している。
【０００４】
図１４は、図１３に示す液晶表示モジュールを、従来の取り付け方法により、ノート型パーソナルコンピュータへ取り付けた状態を示す要部断面図である。
なお、この図１４は、図１３に示す取り付けネジ１２０の移動方向で切断した断面構造を示す。
図１４に示すように、従来の液晶表示モジュールは、モールド１４内の、側面の４カ所（図１４では１カ所のみ図示している）にインサータ１３を有する。
そして、ノート型パーソナルコンピュータのディスプレイ部の外側ケース（例えば、プラスチックケース）１００と、金属のサイドビーム１１０と、フレーム４に形成された穴を通して、取り付けネジ１２０をインサータ１３にねじ込み、液晶表示モジュールをノート型パーソナルコンピュータに取り付ける。
なお、図１４において、ＳＵＢ１はＴＦＴ基板、ＳＵＢ２はカラーフィルタ基板、ＰＯＬ１，ＰＯＬ２は偏光板、４はフレーム、５は液晶表示パネル、６，８は拡散シート、７はレンズシート、９は導光体、１０は反射シートであり、これらの部品については後述する。
【０００５】
図１４に示すように、液晶表示モジュールをインサータ１３を使用し、ノート型パーソナルコンピュータに取り付ける場合には、インサータ１３はモールド１４の側壁に埋め込まれているため、取り付けネジ１２０を介して、外部からの振動、衝撃がモールド１４の側壁に直接加わることになる。
それにより、図１５に示すように、モールド１４が撓み、その結果として、導光体９などが撓むことになり、最悪の場合には、液晶表示パネル５に局所的な応力が加わることになる。
なお、図１５では、モールド１４が撓み、その結果として、導光体９などが撓むことを矢印により表している。
このため、液晶表示パネル５のギャップ長（即ち、ＴＦＴ基板（ＳＵＢ１）とカラーフィルタ基板（ＳＵＢ２）との間の距離）が変化し、液晶表示パネル５の表示画面に波紋が生じ、液晶表示パネル５の表示品質を著しく損なわせるという問題点があった。
【０００６】
本発明は、前記従来技術の問題点を解決するためになされたものであり、本発明の目的は、液晶表示装置において、液晶表示装置を外部ケースに固定する取付用ネジを介して、外部からの振動、衝撃が収納部材に直接加わるのを防止して、液晶表示素子に表示される表示画面の表示品質を向上させることが可能となる技術を提供することにある。
また、本発明の他の目的は、液晶表示装置において、液晶表示装置を外部ケースに固定する取付用ネジの取り付け位置の自由度を向上させることが可能となる技術を提供することにある。
本発明の前記ならびにその他の目的と新規な特徴は、本明細書の記述及び添付図面によって明らかにする。
【０００７】
【課題を解決するための手段】
本願において開示される発明のうち、代表的なものの概要を簡単に説明すれば、下前記の通りである。
即ち、本発明は、液晶表示装置の構成要素（液晶表示パネル、光源、光学シート等）を収納する収納部材（モールドとして知られる部材に代表される）にフレーム部材（枠状部材）を嵌め合わせて所謂液晶表示モジュールを構成し、この液晶表示モジュールを外部ケースに固定してなる液晶表示装置に適用される。
前記収納部材は、例えば、主面とその周辺に形成された側面とを有し、この側面に囲まれた主面上に前記液晶表示装置の構成要素たる光学部品が収められる。
サイドライト型の液晶表示モジュールの場合、反射板、導光板、光拡散シートおよびプリズムシート等の光学シート、液晶表示パネルがこの順で前記主面上に積み上げられる。
直下型バックライト型の液晶表示モジュールの場合、反射板およびこれに固定される複数の蛍光灯からなる光源ユニット、光拡散板、前記光学シート、液晶表示パネルがこの順に前記主面上に積み上げられる。
【０００８】
本発明では、このような液晶表示装置において、前記収納部材の側面（側壁）と、前記フレーム部材の前記側壁との間に、液晶表示装置を外部ケースに固定する取付用ネジがネジ止めされるネジ孔を有する取り付け部材が設けられる。
そして、この取り付け部材は、前記ネジ孔が設けられる領域が、前記取付用ネジの移動方向に弾力的に作用する構成と成っている。
本発明の一実施の形態では、前記取り付け部材は、前記ネジ孔が設けられ、かつ、前記収納部材の前記側面に沿って伸びる第１の辺と、前記収納部材に固定される第２の辺とから構成され、前記第１の辺の前記ネジ孔が設けられる領域が、前記取付用ネジの移動方向に弾力的に作用する構成と成っている。
また、本発明の好ましい実施の形態では、前記第１の辺の前記ネジ孔が設けられる領域に切り込みを有し、前記第１の辺の前記ネジ孔が設けられる領域を、前記ネジ孔を含むある４角形で囲ったときに、当該４角形のある二辺が、前記切り込み部分となっている。
また、本発明の好ましい実施の形態では、前記第１の辺は、前記第１の辺の前記ネジ孔が設けられる領域で、前記ネジ孔の前記収納部材の延長方向の両側に切り込みを有する。
【０００９】
また、本発明の好ましい実施の形態では、前記取り付け部材の第２の辺は、接着あるいは機械的手段により、前記収納部材に固定される。
また、本発明の好ましい実施の形態では、前記取り付け部材の第２の辺は、インモールド成形により、前記収納部材に固定される。
また、本発明の好ましい実施の形態では、前記収納部材の前記側面は、前記取付用ネジの先端部が挿入される挿入孔を有し、当該挿入孔の直径は、前記取付用ネジの直径よりも大きくされている。
また、本発明の好ましい実施の形態では、前記収納部材の前記側面は、前記取付用ネジの先端部が挿入される溝部を有し、当該溝部は、前記取付用ネジとある間隔を持って形成されている。
また、本発明の好ましい実施の形態では、前記取り付け部材の第２の辺、および前記収納部材は、前記取り付け部材の位置決め手段を有している。
また、本発明のより好ましい実施の形態では、前記収納部材の前記取り付け部材の位置決め手段は突起部であり、前記第２の辺の前記取り付け部材の位置決め手段は、前記収納部材の前記突起部がはめ込まれる孔である。
また、本発明の好ましい実施の形態では、前記取り付け部材、あるいは、前記第１の辺の前記ネジ孔が設けられる領域は、弾力のある材料で構成される。
【００１０】
前述の手段によれば、前記収納部材に固定される前記取り付け部材を設け、かつ、前記取り付け部材は、前記ネジ孔が設けられる領域が、前記取付用ネジの移動方向に弾力的に作用する構成と成っているので、液晶表示装置を外部ケースに固定する取付用ネジを介して、外部からの振動、衝撃が、収納部材に直接加わるのを防止することができる。
これにより、液晶表示素子に表示される表示画面の表示品質を向上させることが可能となる。
また、前述の手段によれば、前記取り付け部材に設けられる前記ネジ孔は、液晶表示装置の厚み方向の任意の位置に設けることができるので、前記取付用ネジの取り付け位置の自由度を向上させることが可能となる。
【００１１】
【発明の実施の形態】
以下、図面を参照して本発明の実施の形態を詳細に説明する。
なお、実施の形態を説明するための全図において、同一機能を有するものは同一符号を付け、その繰り返しの説明は省略する。
〈本発明が適用されるＴＦＴ方式の液晶表示モジュールの基本構成〉
図１は、本発明が適用されるＴＦＴ方式の液晶表示モジュール（ＬＣＭ）の概略構成を示す分解斜視図である。
図１に示す液晶表示モジュール（ＬＣＭ）は、金属板から成る枠状のフレーム４、液晶表示パネル（ＬＣＤ；本発明の液晶表示素子）５、バックライトユニットとから構成される。
液晶表示パネル５は、画素電極、薄膜トランジスタ等が形成されるＴＦＴ基板と、対向電極、カラーフィルタ等が形成されるフィルタ基板とを、所定の間隙を隔てて重ね合わせ、該両基板間の周縁部近傍に枠状に設けたシール材により、両基板を貼り合わせると共に、シール材の一部に設けた液晶封入口から両基板間のシール材の内側に液晶を封入、封止し、さらに、両基板の外側に偏光板を貼り付けて構成される。
【００１２】
ここで、ＴＦＴ基板のガラス基板上には、半導体集積回路装置（ＩＣ）で構成される複数のドレインドライバおよびゲートドライバが搭載されている。
このドレインドライバには、フレキシブルプリント配線基板１を介して、駆動電源、表示データおよび制御信号が供給され、ゲートドライバには、フレキシブルプリント配線基板２を介して、駆動電源および制御信号が供給される。
これらフレキシブルプリント配線基板（１，２）は、バックライトユニットの後ろ側に設けられる駆動回路基板３に接続される。
また、複数のドレインドライバおよびゲートドライバが搭載されている液晶表示パネル５が、表示窓を有するフレーム４とバックライトユニットとの間に収納されて構成される。
そして、フレーム４の表示窓の領域が、液晶表示モジュール（ＬＣＭ）の表示領域を構成し、この表示領域以外の領域、即ち、フレーム４の表示窓の周囲の領域を、通常額縁と称する。
本実施の形態の液晶表示モジュールのバックライトユニットは、冷陰極蛍光灯１６、楔形（側面形状が台形）の導光体９、拡散シート（６，８）、レンズシート７、反射シート１０とが、図１に示す順序で、側壁を有し、枠状に形成されたモールド１４に嵌め込まれて構成される。
なお、図１において、１１はゴムブッシュ、１２はコネクタ、１８，１９はケーブルである。
【００１３】
〈図１に示す液晶表示モジュールのバックライトユニットの構成〉
図２は、図１に示す液晶表示モジュールのバックライトユニットの要部断面構造を示す断面図である。
なお、この図２は、冷陰極蛍光灯１６と直交する面で切断した時の断面構造を示している。
図２に示すように、冷陰極蛍光灯１６は、導光体９の側面近傍で、かつ導光体９の側面に沿って当該導光体９の側面と平行に配置される。
導光体９は、冷陰極蛍光灯１６から照射される光を、冷陰極蛍光灯１６から離れた方へ導き、液晶表示パネル全体に光を均一に照射する。
ここで、導光体９は、冷陰極蛍光灯１６と対向する面が幅広に形成され、冷陰極蛍光灯１６から遠ざかる程断面が小さくなる楔形の形状に形成される。
導光体上には、拡散シート（６，８）と、２枚のレンズシート７が配置される。
冷陰極蛍光灯部分の断面形状がほぼコ字状で、その内面が白色または銀色の反射シート１０は、冷陰極蛍光灯１６をほぼ全長にわたって覆うとともに、導光体９の下側まで延長して配置される。
これにより、導光体９と異なる方向に放射された光を無駄なく導光体９に集光させることができる。
【００１４】
〈本発明の実施の形態１のＴＦＴ方式の液晶表示モジュールの特徴〉
図３は、本実施の形態の液晶表示モジュールをノート型パーソナルコンピュータに取り付ける取り付け方法を説明するための要部断面図である。
なお、本実施の形態は、図１、図２を参照して前述した液晶表示モジュールに基づき説明される。
また、本実施の形態では、取り付けネジ１２０は４カ所に設けられるが、図３では、その内の１カ所のみを示している。
図３に示すように、本実施の形態では、フレーム４の側壁と、モールド１４の側壁との間に取り付け部材２０が設けられる。
図４は、図３に示す取り付け部材２０の一例の概略構成を示す斜視図である。
図４に示すように、取り付け部材２０は、第１の辺２１と、第２の辺２２とからなり、モジュールの厚み方向で切断した断面形状がＬ字形形状とされる。
第１の辺２１は、フレーム４の側壁に沿って延長され、この第１の辺２１には、取り付けネジ１２０がネジ止めされるネジ孔２３が設けられる。
また、第１の辺２１のネジ孔２３の両側には切り込み２５が設けられ、この切り込み２５により分離される、ネジ孔２３を含む領域２４は、取り付けネジ１２０の移動方向に、第１の辺２１とは独立して移動することができる。
また、第２の辺２２がモジュール１４に固定されて、取り付け部材２０がモジュール１４に固定される。
【００１５】
本実施の形態では、例えば、外部からの振動、衝撃が取り付けネジ１２０に加えられても、図５に示すように、当該振動、衝撃により、ネジ孔２３を含む領域２４のみが弾力的に変形して、外部からの振動、衝撃を緩和するので、モールド１４に外部からの振動、衝撃が加えられるのを防止することができる。
さらに、モールド１４には、取り付けネジ１２０の先端部が挿入される孔１４ａが設けられるが、この孔１４ａは、取り付けネジ１２０の先端部の直径よりも、直径が大きくされているので、取り付けネジ１２０に斜め方向の振動、衝撃が加えられて、取り付けネジ１２０が斜め方向に傾いた場合でも、取り付けネジ１２０がモールド１４に接触し、モールド１４が変形するのを防止することができる。
なお、図５は、図１に示すような液晶表示モジュールを取り付けネジ１２０で外側ケースに取り付ける実装構造に係わるフレーム４、モールド１４、および取り付け部材２０のそれぞれの部分をクローズアップで描いた図であり、これ以外の部分および部材（外側ケース１００や、バックライトユニットを構成する各部材）の図示は省略している。
【００１６】
これに対して、図１４に示す液晶表示装置では、図６に示すように、外部からの振動、衝撃が取り付けネジ１２０に加えられると、取り付けネジ１２０がインサータ１３にネジ止めされているので、外部からの振動、衝撃がモールド１４に直接加えられ、モールド１４が変形してしまう。
特に、図１３に示すサイドビーム１１０が、例えば、マグネシウム合金などの剛性の高い材料で構成されていると、外部からの振動、衝撃が直接取り付けネジ１２０に加えられるので、モールド１４が変形しやすくなる。
なお、図６も、従来の液晶表示モジュールを取り付けネジ１２０で外側ケースに取り付ける実装構造に係わるフレーム４、およびモールド１４のそれぞれの部分をクローズアップで描いた図であり、これ以外の部分および部材（外側ケース１００や、バックライトユニットを構成する各部材）の図示は省略している。
このように、本実施の形態では、ネジ孔２３を含む領域２４が、取り付けネジ１２０の移動方向に弾力的に作用する構成となっているので、取り付けネジ１２０を介して、外部から振動、衝撃が加えられても、領域２４のみが弾力的に変形することにより、外部からの振動、衝撃を緩和して、モールド１４が変形するのを防止することができ、これにより、液晶表示パネル５に表示される表示画像の表示品質を向上させることが可能となる。
【００１７】
なお、本実施の形態において、切り込み２５をネジ孔２３の両側に設ける代わりに、図７に示すように、ネジ孔２３を中心にしてＬ字形の切り込み２５ａを設けるようにしてもよい。
即ち、本実施の形態では、ネジ孔２３を含む領域２４を、ある４角形（図７の点線枠で示す四角形Ａ）で囲ったときに、当該４角形のある二辺が、前記切り込み部分（２５，２５ａ）となるようにすることで、ネジ孔２３を含む領域２４のみが弾力的に変形して、外部からの振動、衝撃を緩和することができる。
但し、図３に示す取り付け部材２０の方が、図７に示す取り付け部材２０に比して、製造が容易となる。
また、ネジ孔２３の両側に切り込み２５を設ける代わりに、繰り返し形成される複数の屈曲部を設けて、ネジ孔２３を含む領域２４のみを弾力的に変形させて、外部からの振動、衝撃を緩和するようにしてもよい。
【００１８】
また、本実施の形態では、第１の辺２１に設けるネジ孔２３は、液晶表示モジュールの厚み方向（以下、単に、Ｚ方向という。）には、任意の位置に形成することができる。
例えば、液晶表示モジュールの表面から４．１ｍｍのところに、ネジ孔２３を形成することができる。
これに対して、図１４に示す液晶表示装置では、モールド１４の側壁上に液晶表示パネル５が配置される関係上、液晶表示パネル５がじゃまをするので、ネジ孔をモールド１４の液晶表示パネル５の方に配置することができない。
即ち、従来の液晶表示装置では、液晶表示モジュールの表面から４．５ｍｍ程度のところにしか、ネジ孔２３を形成することができない。
なお、本実施の形態において、図８に示すように、モールド１４に孔１４ａを設ける代わりに、モールド１４にＺ方向の溝１４ｂを設けるようにしてもよい。この構造によれば、第１の辺２１に設けられるネジ孔２３がＺ方向のどの位置に形成されても、１つのモールド１４で対応することができる。
【００１９】
本実施の形態の取り付け部材２０は、例えば、りん青銅などの弾力性（または、バネ性）のある金属材料で構成されか、あるいは、ネジ孔２３を含む領域２５のみが弾力性のある金属材料で構成される。
そして、取り付け部材２０は、第２の辺２２が接着、あるいは、ネジ止めなどの機械的手段により、モールド１４に固定される。
例えば、図９に示すように、第２の辺２２を両面接着テープ３０等によりモールド１４に固定することにより、取り付け部材２０をモールド１４に固定する。あるいは、図１０に示すように、インモールド成形により、第２の辺２２をモールド１４に固定して、取り付け部材２０をモールド１４に固定するようにしてもよい。
また、この場合に、図１１に示すように、モールド１４に位置決め用の突起３１を設け、かつ、取り付け部材２０の第２の辺に、突起３１が挿入される孔３２を設けることにより、取り付け部材２０をモールド１４に取り付ける際に、位置決めが容易となる。
なお、図９、図１０、図１１は、モールド１４、および取り付け部材２０のそれぞれの部分をクローズアップで描いた図であり、これ以外の部分および部材（フレーム４、バックライトユニットを構成する各部材）の図示は省略している。
【００２０】
また、図１２に示すように、モールド１４との固定部を除いて、第２の辺に凹部３５を設けるようにしてもよい。
なお、前記各実施の形態では、本発明をＴＦＴ方式の液晶表示モジュールに適用した実施の形態について主に説明したが、本発明はこれに限定されるものではなく、本発明は、ＳＴＮ方式の液晶表示モジュールにも適用可能であることはいうまでもない。
以上、本発明者によってなされた発明を、前記実施の形態に基づき具体的に説明したが、本発明は、前記実施の形態に限定されるものではなく、その要旨を逸脱しない範囲において種々変更可能であることは勿論である。
【００２１】
【発明の効果】
本願において開示される発明のうち代表的なものによって得られる効果を簡単に説明すれば、下記の通りである。
（１）本発明の液晶表示装置によれば、液晶表示装置を外部ケースに固定する取付用ネジを介して、外部からの振動、衝撃が収納部材に直接加わるのを防止することが可能となる。
これにより、表示画面の表示品質を向上させることが可能となる。
（２）本発明の液晶表示装置によれば、液晶表示装置を外部ケースに固定する取付用ネジの取り付け位置の自由度を向上させることが可能となる。
【図面の簡単な説明】
【図１】本発明が適用されるＴＦＴ方式の液晶表示モジュール（ＬＣＭ）の概略構成を示す分解斜視図である。
【図２】図１に示す液晶表示モジュールのバックライトユニットの要部断面構造を示す断面図である。
【図３】本発明の実施の形態の液晶表示モジュールをノート型パーソナルコンピュータに取り付ける取り付け方法を説明するための要部断面図である。
【図４】図３に示す取り付け部材の一例の概略構成を示す斜視図である。
【図５】本発明の実施の形態の液晶表示モジュールにおいて、外部からの振動、衝撃が取り付けネジに加えられても、モールドが変形しない理由を説明するための図である。
【図６】従来の液晶表示モジュールにおいて、外部からの振動、衝撃が取り付けネジに加えられることにより、モールドが変形することを説明するための図である。
【図７】図３に示す取り付け部材の他の例の構成を示す図である。
【図８】本発明の実施の形態のモールドの他の例を示す図である。
【図９】図３に示す取り付け部材を、モールドに固定する固定方法の一例を説明するための図である。
【図１０】図３に示す取り付け部材を、モールドに固定する固定方法の他の例を説明するための図である。
【図１１】図３に示す取り付け部材を、モールドに固定する固定方法の他の例を説明するための図である。
【図１２】図３に示す取り付け部材の他の例の構成を示す図である。
【図１３】液晶表示モジュールをノート型パーソナルコンピュータに取り付ける取り付け方法の一例を説明するための模式図である。
【図１４】図１３に示す液晶表示モジュールを、従来の取り付け方法により、ノート型パーソナルコンピュータへ取り付けた状態を示す要部断面図である。
【図１５】図１３に示す液晶表示モジュールを、従来の取り付け方法により、ノート型パーソナルコンピュータへ取り付けた状態において、外部からの振動、衝撃がモールドの側壁に直接加わることを説明するための図である。
【符号の説明】
１，２…フレキシブルプリント配線基板、３…駆動回路基板、４…フレーム、５…液晶表示パネル、６，８…拡散シート、７…レンズシート、９…導光体、１０…反射シート、１１…ゴムブッシュ、１２…コネクタ、１３…インサータ、１４…モールド、１４ａ…孔、１４ｂ…溝、１６…冷陰極蛍光灯、１８，１９…ケーブル、２０…取り付け部材、２１…第１の辺、２２…第２の辺、２３…ネジ孔、２４…ネジ孔を含む領域、２５，２５ａ…切り込み、３０…両面テープ、３１…突起、３２…突起３１が挿入される孔、１００…外側ケース、１０１…内側ケース、１０２…液晶表示モジュール、１１０…サイドビーム、１２０…取り付けネジ、ＳＵＢ１…ＴＦＴ基板、ＳＵＢ２…カラーフィルタ基板、ＰＰＬ１，ＰＯＬ２…偏光板。
【図１】
0003822037.tif 000002
【図２】
0003822037.tif 000003
【図３】
0003822037.tif 000004
【図４】
0003822037.tif 000005
【図５】
0003822037.tif 000006
【図６】
0003822037.tif 000007
【図７】
0003822037.tif 000008
【図８】
0003822037.tif 000009
【図９】
0003822037.tif 000010
【図１０】
0003822037.tif 000011
【図１１】
0003822037.tif 000012
【図１２】
0003822037.tif 000013
【図１３】
0003822037.tif 000014
【図１４】
0003822037.tif 000015
【図１５】
0003822037.tif 000016